(57)【要約】【課題】  ユーザー自らが作成したアイキャッチ画像を撮影中の動画に挿入できるようにする。【解決手段】  動画の撮影中に、シーンが大きく転換する場面や、より興趣を盛り上げたい場面となった時に、動画像データ内に静止画又は動画等の挿入データを挿入する挿入操作を行なう。この挿入操作が行なわれながら撮影が行なわれた動画像ファイル９３は、複数の動画像データと、複数の挿入データとから構成される。この動画像ファイル９３を再生すると、場面の転換がある部分で挿入データのアイキャッチ画像が表示されるため、動画像データの内容を分かりやすくしたり、娯楽性を高めることができる。【選択図】        図７
2005278059.tif 000002
【特許請求の範囲】
【請求項１】
撮像光学系と、この撮像光学系によって受光面に結像された被写体像を撮像する固体撮像素子と、固体撮像素子から出力された撮像信号から動画像データを生成する画像処理手段と、動画像データを記録する画像データ記録手段と、撮影中の動画及び撮影済みの動画を表示する表示手段とを有する撮像装置において、
前記動画像データに挿入される挿入データを記録する挿入データ記録手段と、挿入データ記録手段に挿入データを予め登録する登録手段と、動画像データに挿入データを挿入する際に操作される挿入指示手段と、撮影中の挿入指示手段の操作に応じて、画像データ記録部に記録されるデータを動画像データから挿入データへと切り換える切換え手段とを設けたことを特徴とする撮像装置。
【請求項２】
前記切換え手段は、挿入指示手段の操作開始からの一定期間、又は挿入指示手段が操作されている期間、画像データ記録部に記録されるデータを動画像データから挿入データへと切り換えることを特徴とする請求項１記載の撮像装置。
【請求項３】
前記挿入データは、静止画像データと動画像データとのいずれか一方又は両方であることを特徴とする請求項１または２記載の撮像装置。
【請求項４】
前記挿入データの挿入期間中も撮影を継続し、撮影完了後に、該挿入期間中の動画像データと挿入データとのいずれを動画像データ内に記録するかを選択する選択手段を設けたことを特徴とする請求項１ないし３いずれか記載の撮像装置。
【請求項５】
前記表示手段に、挿入データ記録手段から読み出した挿入データを表示させる挿入データ表示制御手段と、表示手段に表示された挿入データの中から動画像データに挿入する挿入データを選択する挿入データ選択手段とを設けたことを特徴とする請求項１ないし４いずれか記載の撮像装置。
【請求項６】
前記動画像データを再生表示する際に、動画像データ中の挿入データを検索する検索手段と、検索された挿入データの画像を表示手段に表示させる再生ポイント表示制御手段と、表示手段上の挿入データの画像を選択する再生ポイント選択手段とを設け、選択された挿入データ以降の動画像データを表示手段に表示させることを特徴とする請求項１ないし５いずれか記載の撮像装置。
【発明の詳細な説明】
【技術分野】
【０００１】
本発明は、動画撮影を行なうことのできる撮像装置に関し、更に詳しくは、撮影中の動画に別の画像を挿入できるようにした撮像装置に関するものである。
【背景技術】
【０００２】
撮像光学系によって結像された被写体画像をＣＣＤ固体撮像素子等で撮像し、ＣＣＤ固体撮像素子から出力されたアナログ信号からデジタルの画像データを生成して記録メディアに記録するデジタルスチルカメラが普及している。このデジタルスチルカメラは、静止画だけではなく、動画の撮影も行なえるようになっている。
【０００３】
動画撮影機器として従来から存在するビデオカメラにおいて、撮影を行ないながらタイトル挿入などの編集作業を行なえるようにすることが望まれていた。例えば、特許文献１記載の発明は、この要望を実現するために、片手でビデオカメラを持って撮影を行ないながら、もう片方の手でワイヤレスリモコンを操作して挿入タイトルの選択や挿入位置等を操作できるようにしている。
【０００４】
【特許文献１】特開平０６−２３３１９０号公報
【発明の開示】
【発明が解決しようとする課題】
【０００５】
昨今の動画編集では、タイトルの挿入よりも、アイキャッチ画像の挿入が主流となっている。アイキャッチ画像とは、メインの動画の前に、アクセントとなるようなイメージ画像や、メインの動画の内容を示唆する画像や抽象化した画像などを短時間表示するものである。また、このアイキャッチ画像として、メーカーが用意した物だけではなく、実際に自分で撮影した画像やパーソナルコンピュータで作成した画像等を使用したいというユーザーの要望もあった。
【０００６】
本発明は、上記要望を実現するためのもので、ユーザー自らが作成したアイキャッチ画像を撮影中の動画に挿入できるようにした撮像装置を提供することを目的とする。
【課題を解決するための手段】
【０００７】
上記課題を解決するために、本発明の撮像装置は、動画像データに挿入される挿入データを記録する挿入データ記録手段と、挿入データ記録手段に挿入データを予め登録する登録手段と、動画像データに挿入データを挿入する際に操作される挿入指示手段と、撮影中の挿入指示手段の操作に応じて、画像データ記録部に記録されるデータを動画像データから挿入データへと切り換える切換え手段とを設けたものである。
【０００８】
また、切換え手段は、挿入指示手段の操作開始からの一定期間、又は挿入指示手段が操作されている期間だけ、画像データ記録部に記録されるデータを動画像データから挿入用データへと切り換えるようにしたものである。更に、挿入データとして、静止画像データや動画像データを用いたものである。
【０００９】
また、挿入データの挿入期間中も撮影を継続し、撮影完了後に、挿入期間中の動画像データと挿入データとのいずれを動画像データ内に記録するかを選択する選択手段を設けたものである。
【００１０】
更に、挿入データ記録手段から読み出した挿入データを表示手段に表示する挿入データ表示制御手段と、この表示手段に表示された挿入データの中から動画像データに挿入する挿入データを選択する挿入データ選択手段とを設けたものである。
【００１１】
また、表示手段によって動画像データを再生表示する際に、動画像データ中の挿入データを検索する検索手段と、この検索された挿入データの画像を表示手段に表示する再生ポイント表示制御手段と、表示手段上の挿入データの画像を選択する再生ポイント選択手段とを設け、選択された挿入データ以降の動画像データを表示手段に表示させるようにしたものである。
【発明の効果】
【００１２】
本発明の撮像装置によれば、撮像した動画像データの内容を分かりやすくしたり、娯楽性を高めることができる。また、このような効果を生み出す挿入データを動画の撮影中に挿入できるようにしたので、撮影後すぐに挿入データの効果を得ることができる。更に、挿入データを登録できるようにしたので、多種多用な挿入データを使用することができ、
【００１３】
また、挿入指示手段の操作開始からの一定期間に挿入データの挿入を行なう場合には、挿入データの挿入時間を一定にすることができる。また、挿入指示手段が操作されている期間に挿入データの挿入を行なう場合には、挿入データの挿入長さを任意に設定することができる。
【００１４】
更に、挿入データとして静止画像データや動画像データを用いたので、挿入データの効果を多彩にすることができる。
【００１５】
また、撮影完了後に、動画像データと挿入データとのいずれを記録するかを選択できるようにしたので、撮影中に挿入データを選択しても、撮影完了後にこれをキャンセルすることができる。
【００１６】
更に、表示手段に挿入データを表示させ、選択できるようにしたので、多数の挿入データの中から最適な挿入データを選択して、動画像データの娯楽性をより高めることができる。
【００１７】
また、動画像データを再生表示する際に、挿入データをインデックスとして使用することができるので、動画像データから目的のシーンを素早く選択することができる。
【発明を実施するための最良の形態】
【００１８】
図１（Ａ），（Ｂ）は、本発明を実施したデジタルスチルカメラ２の外観形状を示す斜視図であり、図２は、デジタルスチルカメラ２の構成を示すブロック図である。デジタルスチルカメラ（以下、カメラと略称する）２の前面には、対物側ファインダ３，マイク用スリット４，ストロボ発光部５，レンズ鏡筒６，レンズカバー７等が設けられている。マイク用スリット４の奥には、動画撮影時などに音声を入力するマイク９が組み込まれている。
【００１９】
レンズカバー７は略半円形状をしており、左右方向でスライド自在とされている。レンズカバー７は、不使用時又は再生モードにあるときに図中右方の閉じ位置にスライドされ、カメラ２の前面を保護する。また、カメラ２で撮像を行なう時には、図中左方の開き位置にスライドされ、レンズ鏡筒６，ストロボ発光部５等を外部に露呈させる。
【００２０】
カメラ２の上面には、左右方向にスライド操作される電源操作部材１１と、上下方向で押圧操作されるシャッタボタン１２とが設けられている。電源操作部材１１の下には、その操作に応じてカメラ２の電源をオン／オフする電源スイッチが組み込まれている。シャッタボタン１２の下には、その操作に応じてシャッタレリーズを行なわせるシャッタスイッチ１４が組み込まれている。
【００２１】
カメラ２の背面には、接眼側ファインダ１６，モード操作部材１７，十字キー１８，音声出力部１９，表示モニタ２０，キャンセルボタン２１，メニューボタン２２，表示ボタン２３等が設けられている。モード操作部材１７は、カメラ２の動作モードを、動画を撮影する動画撮影モード，撮影した静止画や動画を再生表示する再生モード，静止画の撮影を行なう静止画撮影モードの間で切り換える操作部材であり、左右方向でスライド自在とされている。モード操作部材１７の奥には、そのスライド位置に応じて操作信号を出力するモードスイッチ２５が組み込まれている。
【００２２】
十字キー１８は、上下方向に揺動操作される上下レバー２７と、この上下レバー２７の横に配置された左右ボタン２８，２９とからなる。上下レバー２７と左右ボタン２８，２９とは、表示モニタ２０上に表示されたカーソルや選択枠を上下左右方向に移動させる際に使用される。また、上下レバー２７は撮影時及び再生時のズーム操作に、左右ボタン２８，２９は再生時のコマ送り等にも使用される。十字キー１８の奥には、各操作部材の操作を検出するカーソルスイッチ３１が組み込まれている。
【００２３】
音声出力部１９は、スリット３３ａが形成された円形の凸部３３と、この凸部３３内に収納されたスピーカー３４とからなる。この音声出力部１９からは、カメラ２の操作音や、動画再生時の再生音等が出力される。表示モニタ２０は、カラーＬＣＤパネル３６からなり、撮影済みの画像データを再生表示するとともに、撮影時にはビューファインダとしても使用される。
【００２４】
メニューボタン２２は、現在セットされているモードに応じた設定メニューを表示モニタ２０上に呼び出す際に使用される。このメニューボタン２２は、各種設定時に設定変更を実行する決定ボタンとしても機能する。キャンセルボタン２１は、各種設定時に設定変更を取りやめる際に使用される。表示ボタン２３は、撮影モード時に表示モニタ２０の表示のオン／オフを切り換えるとともに、表示モニタ２０の表示設定を切り換える際に使用される。これらのキャンセルボタン２１，メニューボタン２２，表示ボタン２３の奥には、各ボタンによってオン／オフされる、キャンセルスイッチ３８，決定スイッチ３９，表示スイッチが組み込まれている。
【００２５】
カメラ２は、動画の撮影中に、静止画や動画等の挿入データを動画像データ内に挿入することができる、編集撮影モードを備えている。この編集撮影モードは、カメラ２が動画撮影モードにあるときにメニューボタン２２を操作し、表示モニタ２０に表示されるメニュー画面内の選択枠を十字キー１８で操作して、編集撮影モードを選択することによりセットすることができる。
【００２６】
編集撮影モードにセットすると、図３に示すように、複数種類の挿入データの縮小画像４０ａ〜４０ｆが表示モニタ２０に表示される。ユーザーは、挿入データの画像４０ａの周囲に配置されている選択枠４１を十字キー１８で操作して移動させ、メニューボタン２２を操作することにより、挿入データを選択する。なお、挿入データを６種類以上有している場合には、画面右下に「次頁」と記載されたボタン４２が表示される。選択枠４１をこのボタン４２に合わせ、メニューボタン２２を操作することで表示画面が改められ、更に多数の挿入データを見ることができる。その後、動画撮影中にメニューボタン２２を押下すると、先に選択した挿入データが撮影中の動画像データ内に挿入される。
【００２７】
カメラ２の側面には、蓋部材４３ａによって開閉されるメモリカードスロット４３が設けられている。メモリカードスロット４３には、周知のメモリカード４４が挿入される。メモリカードスロット４３の奥には、挿入されたメモリカード４４に電気的に接続するコネクタが組み込まれており、このコネクタには、メモリカード３０に対して画像ファイルの読み書きを行なうメディアコントローラ４６が接続されている。カメラ２の底面には、電池がセットされる電池収納室が設けられている。この電池収納室は、開閉自在な電池蓋４８によって塞がれている。
【００２８】
レンズ鏡筒６内には、絞りを切り換える絞り板５０と、撮影レンズ５１とが組み込まれている。絞り板５０は、モータドライバ５２によって駆動されるモータ５３により移動され、サイズの異なる絞り開口を撮影光軸上に配置する。撮影レンズ５１は、モータドライバ５４に駆動されるモータ５５によって撮影光軸に沿って移動され、焦点合わせが行なわれる。
【００２９】
レンズ鏡筒６の背後には、ＣＣＤ固体撮像素子５７が配置されている。撮影レンズ５１を通った被写体画像は、ＣＣＤ固体撮像素子５７の受光面上に結像されて撮像される。ＣＣＤ固体撮像素子５７は、撮像した被写体画像を光電変換してアナログの画像信号を出力する。また、ＣＣＤ固体撮像素子５７は、シャッタスイッチの操作に応じてシャッタレリーズ動作を行なう電子シャッタ機能を備えている。この電子シャッタ機能は、タイミングジェネレータ５８から入力されるタイミング信号（クロックパルス）に基づいて制御される。
【００３０】
ＣＣＤ固体撮像素子５７から出力されたアナログ信号は、ＣＤＳ回路６０，ＡＭＰ回路６１，Ａ／Ｄ変換器６２に順に入力される。ＣＤＳ回路６０は、相関二重サンプリング回路（ＣＤＳ）であり、ＣＣＤ固体撮像素子５７から入力されたアナログ信号からＲ，Ｇ，Ｂの画像データを生成する。ＡＭＰ回路６１は増幅器（ＡＭＰ）であり、ＣＤＳ回路６０から出力された画像データを増幅する。Ａ／Ｄ変換器６２は、アナログのＲＧＢ画像信号をデジタルのＲＧＢ画像データに変換する。
【００３１】
画像入力コントローラ６４は、バス６５を介してＣＰＵ６６に接続され、ＣＰＵ６６の制御命令に応じてＣＣＤ固体撮像素子５７，ＣＤＳ回路６０，ＡＭＰ回路６１，Ａ／Ｄ変換器６２を制御する。
【００３２】
画像信号処理回路６８は、階調変換、ホワイトバランス補正、γ補正処理等の各種画像処理と、ＹＣ変換処理とをＲＧＢの画像データに施す。撮影前のスルー画像の画像データはＶＲＡＭ６９に入力され、画像信号処理回路６８によって簡易な画像処理とＹＣ変換処理とが施され、ビデオエンコーダ７０によってコンポジット信号に変換され、ドライバ７１によってカラーＬＣＤパネル３６に表示される。また、撮影が行なわれた際の画像データは、バッファメモリ７３に入力され、画像信号処理回路６８によって本格的な画像処理とＹＣ変換処理とが施される。
【００３３】
圧縮伸長処理回路７５は、ＹＣ変換処理されたバッファメモリ７３内の画像データを所定の圧縮形式（例えばＪＰＥＧ形式）で圧縮し、拡張子が「．ｊｐｇ」となる静止画や、拡張子が「．ｍｐｇ」となる動画の画像ファイルを生成する。この画像ファイルは、バッファメモリ７３から読み出され、メディアコントローラ４６によってメモリカード４４に記録される。また、圧縮伸長処理回路７５は、メモリカード４４に記憶されている画像ファイルを表示モニタ２０や外部接続モニタ等で再生表示する際に、画像ファイルを伸長処理する。
【００３４】
バス６５には、画像データのコントラストから撮影レンズ５１のピント位置を算出するＡＦ検出回路７７と、画像データの輝度から露出値とホワイトバランス値とを算出するＡＥ／ＡＷＢ検出回路７８とが接続されている。各検出回路７７，７８は、シャッタボタン１２が半押しされた時に、バス６５を介してＣＰＵ６６に検出結果を入力する。ＣＰＵ６６は、各検出回路７７，７８から入力された検出結果に基づいて、ピント合わせと、自動露出制御、及び自動ホワイトバランス調整とを実施する。
【００３５】
カメラ２の制御を行なうＣＰＵ６６には、カメラ２の制御プログラムや制御データ等が記録されたＲＯＭ８０が接続されている。前述したマイク９とスピーカー３４とには、それぞれＡＭＰ回路８２，８３とＡ／Ｄ変換器８４，８５とが接続され、バス６５に接続されている。
【００３６】
図４は、メモリカード４４内のファイル構造を示す概略図である。メモリカード４４のルート上には、複数の撮影画像フォルダ９０と、挿入画像フォルダ９１とが形成されている。各撮影画像フォルダ９０内には、カメラ２で撮影されて作成された静止画像ファイル９２や動画像ファイル９３が格納されている。
【００３７】
挿入画像フォルダ９１内には、編集撮影モードにおいて使用される挿入データがファイル化された静止画挿入ファイル９４及び動画挿入ファイル９５等が複数種類格納されている。静止画挿入ファイル９４は動画像ファイル９３に合わせて解像度が粗くされており、動画挿入ファイル９５は挿入時間に合わせて再生時間が短くされている。
【００３８】
メモリカード４４の挿入画像フォルダ９１には、ユーザーが静止画挿入ファイル９４及び動画挿入ファイル９５を追加及び削除することができる。挿入画像フォルダ９１への登録方法としては、例えば、カメラ２とパーソナルコンピュータとをカメラ２に付属の接続ケーブル等で接続し、カメラメーカーのホームページ上で公開されている挿入ファイルや、パーソナルコンピュータのグラフィックソフトをで作成した挿入ファイル等を挿入画像フォルダ９１に転送する。
【００３９】
また、カメラ２で撮影した静止画像ファイル９２や動画像ファイル９３を挿入ファイルとして使用したい場合には、静止画像ファイル９２や動画像ファイル９３をいったんパーソナルコンピュータに取り込み、動画像ファイルの解像度に合わせてリサイズしたり、記録時間を短くする等の加工を施してから挿入画像フォルダ９１に転送する。更に、カメラ２の静止画撮影解像度を動画レベルに設定し、その状態で撮影した静止画像ファイルを挿入画像フォルダ９１に直接記録することもできる。
【００４０】
また、カメラ２自体に、撮影画像フォルダ９０から挿入画像フォルダ９１へと画像ファイルを転送する機能を設け、転送時に解像度をリサイズしたり動画の記録時間を短くする等の処理を自動的に行なうようにすることもできる。
【００４１】
次に、上記実施形態のカメラ２の編集撮影モードの作用について、図５のフローチャートを参照しながら説明する。カメラ２のモード操作部材１７を動画撮影モードにセットし、メニューボタン２２を押圧操作すると、決定スイッチ３９がオンされ、その操作信号がＣＰＵ６６に入力される。ＣＰＵ６６は、ＲＯＭ８０からメニュー画像を読み出して表示モニタ２０に表示させる。ユーザーは、十字キー１８を操作して表示モニタ２０上の選択枠を移動させ、編集撮影モードにセットする。
【００４２】
カメラ２が編集撮影モードにセットされると、図３に示すように、表示モニタ２０には複数種類の挿入データの画像４０ａ〜４０ｆが表示される。ユーザーは、十字キー１８を操作して選択枠４１を移動し、メニューボタン２２によって使用する挿入データを選択する。
【００４３】
挿入データを選択すると、表示モニタ２０には、ＣＣＤ固体撮像素子５７によって撮像された動画像がスルー表示される。シャッタボタン１２を押下すると、動画撮影が開始され、メモリカード４４の撮影画像フォルダ９０内に動画像データが記録される。この撮影中にメニューボタン２２が押下されると、ＣＰＵ６６は、メモリカード４４の挿入画像フォルダ９１から、先に設定された挿入ファイルを読み出し、これをメモリカード４４の撮影途中の動画像データの後ろに記録する。なお、この挿入期間中の表示モニタ２０には、挿入データの画像が表示される。
【００４４】
この挿入データの挿入は、メニューボタン２２が操作されてから一定期間だけ行なってもよいし、図５のフローチャートのＡ−Ｂ間を、図６のフローチャートに変更して、メニューボタン２２が操作されている間だけ行なうようにすることもできる。以降、ユーザーは、撮影動画の場面展開等に合わせて適宜メニューボタン２２を操作する。また、シャッタボタン１２が再度操作されることによって、動画撮影が終了する。
【００４５】
図４に示すように、メモリカード４４の撮影画像フォルダ９０ａ内には撮影完了後に動画像ファイル９３が形成される、この動画像ファイル９３は、図７のタイムコードに示すように、動画像データＮｏ．１〜Ｎｏ．３の間に、挿入データＮｏ．１，Ｎｏ．２が適宜挿入されたものとなる。
【００４６】
上記編集撮影モードで撮影された動画像ファイル９３を再生すると、動画像データＮｏ．１からなるシーン１が再生され、次いで先頭に挿入データＮｏ．１が記録されたシーン２が再生される。この挿入データの画像によって、動画の内容や場面転換が分かりやすくなり、娯楽性も向上する。また、挿入データの挿入は、撮影中に行なうことができるので、撮影完了後に編集作業を行なわなくても、すぐに挿入データの効果を得ることができる。
【００４７】
また、上記実施形態では、動画の撮影開始前に挿入データの選択を行なったが、撮影しながら挿入データを選択することもできる。例えば、図８及び図９のフローチャートに示すように、編集撮影モードにセットされてシャッタボタン１２が操作されると、表示モニタ２０の上部にスルー画表示部９７が表示され、その下方に挿入データの画像９８ａ〜９８ｄが表示される挿入データ表示部９８が配置される。挿入データ表示部９８には、十字キー１８によって操作される選択枠９９が表示され、この選択枠９９の停止している位置でメニューボタン２２を操作することにより、挿入データを選択することができる。
【００４８】
シャッタボタン１２を操作して動画撮影を開始すると、上部のスルー画表示部９７には、撮影中の動画が表示される。ユーザーは、十字キー１８の左右ボタン２８、２９を操作して挿入データを選択し、メニューボタン２２を操作する。すると、選択された挿入データが撮影中の動画データの後ろに記録される。これによれば、撮影中のシーンの内容に合わせて挿入画像を選択することができるので、より動画の内容を分かりやすくし、娯楽性を高めることができる。
【００４９】
また、上記各実施形態では、挿入操作を行なうと撮影が停止され、メモリカード４４に記録されるデータがすぐに挿入データに切り換えられていた。そのため、挿入データの挿入中にシャッタチャンスが訪れても、挿入操作をキャンセルすることはできなかった。本発明のカメラ２では、このような問題に鑑みて、挿入操作をキャンセルできるようにすることもできる。
【００５０】
例えば、図１０のフローチャートに示すように、挿入データの挿入操作中にも動画撮影を継続し、その動画像データをメモリカード４４の撮影画像フォルダ９０内に記録する。また、撮影した動画像データに対する挿入データの挿入期間が識別できるように、撮影経過時間が記録される。
【００５１】
動画の撮影が完了すると、表示モニタ２０には、図８に示す画像に類似する画像が表示される。すなわち、図８のスルー画表示部９７の位置には、撮影済みの動画像データの挿入操作が行なわれた部分の先頭フレームが表示され、その下方の挿入データ表示部９８の位置には、同様に挿入データの画像が表示される。ユーザーは、動画像データの表示位置に挿入データを挿入する場合には、十字キー１８によって挿入データを選択し、メニューボタン２２を操作する。また、挿入データを操作せずに、撮影した動画像データを記録する場合には、キャンセルボタン２１を操作する。このように、撮影完了後に挿入データの挿入操作をキャンセルすることができるため、撮影した画像を得ることができ、シャッタチャンスを逃すことはない。
【００５２】
なお、撮影した動画像データに複数の挿入データの挿入位置がある場合には、順にその挿入位置の先頭フレームが表示モニタ２０に表示され、その挿入位置に記録するデータの選択が順次行なわれる。
【００５３】
また、図１１のフローチャートに示すように、動画像ファイルの再生時に挿入データをインデックスとして利用することもできる。この実施形態では、再生に先立ってＣＰＵ６６が動画像ファイル内の挿入データを検索する。そして、図７のタイムコードに示すように、挿入データＮｏ．１，Ｎｏ．２が検出された場合には、図１２に示すように、動画像データＮｏ．１の先頭フレームの縮小画像１０１と、挿入データＮｏ．１，Ｎｏ．２の最初のフレームの縮小画像１０２，１０３とが、シーン１〜シーン３として表示モニタ２０に並べて表示される。また、最初の縮小画像１０１の上には、十字キー１８によって移動可能な選択枠１０４が表示される。
【００５４】
ユーザーは、十字キー１８によって選択枠１０４を操作し、再生したいシーンの縮小画像上に選択枠１０４を停止させる。そしてメニューボタン２２を操作すると、ＣＰＵ６６はその選択されたシーンの先頭の経過時間Ｔを取得し、その経過時間Ｔから動画の再生を開始する。このように、挿入データは動画再生時のアイキャッチ画像としての機能だけではなく、インデックスとしても利用することができるため、見たいシーンをすぐに再生することができる。なお、再生する動画像ファイルに挿入データが無い場合には、経過時間Ｔとして０が設定される。これにより、動画像ファイルの先頭からすぐに再生が開始される。
【００５５】
なお、カメラ２に設けられた表示モニタ２０によって動画像ファイルの再生を行なう時に、挿入データをインデックスとして使用できるようにしたが、カメラ２を外部のモニタに接続して動画像ファイルの再生を行なう時にも、挿入データをインデックスとして使用することができる。また、挿入データの選択タイミングや、再生方法として数種類の方法を説明したが、これらは適宜組み合わせてカメラ２に組み込むことができる。
れるので、無駄なシーン選択を行なう必要はない。
【００５６】
また、上記実施形態では、挿入データとして静止画像データや動画像データを用いたが、音楽や効果音等の音声データを挿入データとして使用することもできる。また、静止画像データ及び動画像データと音声データとを同時に挿入データとして使用することもできる。
【産業上の利用可能性】
【００５７】
上記実施形態は、デジタルカメラを例に説明したが、ビデオカメラやデジタルビデオカメラ、カメラ機能を備えた携帯電話などの各種携帯機器などにも適用することができる。
【図面の簡単な説明】
【００５８】
【図１】本発明を実施したデジタルスチルカメラの外観形状を示す斜視図である。
【図２】デジタルスチルカメラの構成を示すブロック図である。
【図３】挿入データの画像が表示された表示モニタの説明図である。
【図４】メモリカードの階層構造を示す説明図である。
【図５】挿入データの選択を先に行なう編集撮影モードの手順を示すフローチャートである。
【図６】メニューボタンの操作時間に応じて挿入データの挿入時間が変化するようにした編集撮影モードのフローチャートの一部である。
【図７】編集撮影モードで撮影された動画像ファイルのタイムコードである。
【図８】撮影中の画像と挿入データの画像とが表示された表示モニタの説明図である。
【図９】挿入時に挿入データの選択を先に行なう編集撮影モードの手順を示すフローチャートである。
【図１０】挿入データの挿入をキャンセルできるようにした編集撮影モードの手順を示すフローチャートである。
【図１１】挿入データをインデックスとして使用した再生モードの手順示すフローチャートである。
【図１２】選択可能なシーンが表示された表示モニタの説明図である。
【符号の説明】
【００５９】
２  デジタルスチルカメラ
１２  シャッタボタン
１７  モード操作部材
１８  十字キー
２０  表示モニタ
２１  キャンセルボタン
２２  メニューボタン
４４  メモリーカード
６６  ＣＰＵ
４０ａ〜４０ｆ  挿入データの画像
９０  撮影画像フォルダ
９１  挿入画像フォルダ
９２  静止画像ファイル
９３  動画像ファイル
９４  静止画挿入ファイル
９５  動画挿入ファイル
【図１】
2005278059.tif 000003
【図２】
2005278059.tif 000004
【図３】
2005278059.tif 000005
【図４】
2005278059.tif 000006
【図５】
2005278059.tif 000007
【図６】
2005278059.tif 000008
【図７】
2005278059.tif 000009
【図８】
2005278059.tif 000010
【図９】
2005278059.tif 000011
【図１０】
2005278059.tif 000012
【図１１】
2005278059.tif 000013
【図１２】
2005278059.tif 000014